(57)【要約】【課題】画像の一部をユーザーが所望するサイズで用紙に形成する。【解決手段】画像形成装置１００は、ディスプレー４１１及び制御部５を備える。制御部５は、第１表示部５０２、第２表示部５０３、及び指示部５０８を備える。第１表示部５０２は、矩形状の用紙Ｐに形成される対象画像ＢＪのプレビュー画像ＰＶをディスプレー４１１に表示する。第２表示部５０３は、サイズ画像ＳＣをディスプレー４１１に表示する。サイズ画像ＳＣは、対象画像ＢＪが用紙Ｐに形成される対象画像ＢＪのサイズを示す。サイズ画像ＳＣは、例えば、目盛線画像ＳＣＡである。目盛線画像ＳＣＡは、第１目盛線画像ＳＣ１と第２目盛線画像ＳＣ２とを含む。第１目盛線画像ＳＣ１は、用紙Ｐの長辺方向に平行に配置される。第２目盛線画像ＳＣ２は、用紙Ｐの短辺方向に平行に配置される。指示部５０８は、用紙Ｐに対象画像ＢＪを形成するように画像形成ユニット１に対して指示する。【選択図】図５
2018164147.tif 000002
【特許請求の範囲】
【請求項１】
ディスプレーと、
記録媒体に形成される画像のプレビュー画像を前記ディスプレーに表示する第１表示部と、
前記記録媒体上に形成される前記画像のサイズを示すサイズ画像を前記ディスプレーに表示する第２表示部と
を備える、表示制御装置。
【請求項２】
操作を受け付ける受付部と、
前記操作に応じて、前記画像及び前記サイズ画像の少なくとも一方を調整する調整部と
を更に備える、請求項１に記載の表示制御装置。
【請求項３】
前記受付部は、前記記録媒体上に形成される前記画像のサイズを調整する第１操作を受け付け、
前記調整部は、前記第１操作に応じて、前記記録媒体上に形成される前記画像のサイズを調整する、請求項２に記載の表示制御装置。
【請求項４】
前記受付部は、前記記録媒体に形成する前記画像の位置を調整する第２操作を受け付け、
前記調整部は、前記第２操作に応じて、前記記録媒体に形成する前記画像の位置を調整する、請求項２又は請求項３に記載の表示制御装置。
【請求項５】
前記サイズ画像は、前記記録媒体上の長さを示す目盛が形成された目盛線画像を含む、請求項２から請求項４のいずれ１項に記載の表示制御装置。
【請求項６】
前記受付部は、前記目盛線画像を表示する長さを調整する第３操作を受け付け、
前記調整部は、前記第３操作に応じて、前記目盛線画像を表示する長さを調整する、請求項５に記載の表示制御装置。
【請求項７】
前記受付部は、前記画像に対する前記目盛線画像の表示位置を調整する第４操作を受け付け、
前記調整部は、前記第４操作に応じて、前記画像に対する前記目盛線画像の表示位置を調整する、請求項５又は請求項６に記載の表示制御装置。
【請求項８】
前記記録媒体は、矩形状であり、
前記目盛線画像は、前記記録媒体の長辺方向に平行な第１目盛線画像と、前記記録媒体の短辺方向に平行な第２目盛線画像とを含む、請求項５から請求項７のいずれか１項に記載の表示制御装置。
【請求項９】
前記ディスプレーに枠画像を表示する第３表示部を更に備え、
前記枠画像は、前記第１目盛線画像の一方側端を通過し前記短辺方向に平行な直線と、前記第１目盛線画像の他方側端を通過し前記短辺方向に平行な直線と、前記第２目盛線画像の一方側端を通過し前記長辺方向に平行な直線と、前記第２目盛線画像の他方側端を通過し前記長辺方向に平行な直線とで囲まれる領域の周囲を示す、請求項８に記載の表示制御装置。
【請求項１０】
前記画像のうち前記枠画像の外部に位置する画像を前記記録媒体に形成するか否かを決定する第５操作に応じて、前記画像のうち前記領域の外部に位置する画像を前記記録媒体に形成するか否かを判定する判定部を更に備え、
前記受付部は、前記第５操作を受け付ける、請求項９に記載の表示制御装置。
【請求項１１】
記録媒体に形成される画像のプレビュー画像を生成する生成ステップと、
前記プレビュー画像をディスプレーに表示すると共に、前記画像が前記記録媒体に形成される前記画像のサイズを示すサイズ画像を前記ディスプレーに表示する表示ステップと
を含む、表示制御方法。
【請求項１２】
ディスプレーと、
記録媒体に形成される画像のプレビュー画像を前記ディスプレーに表示する第１表示部と、
前記画像が前記記録媒体に形成される前記画像のサイズを示すサイズ画像を前記ディスプレーに表示する第２表示部と、
前記記録媒体に前記画像を形成する画像形成部と
を備える、画像形成装置。
【発明の詳細な説明】
【技術分野】
【０００１】
本発明は、プレビュー画像をディスプレーに表示する表示制御装置、表示制御方法、及び画像形成装置に関する。
【背景技術】
【０００２】
特許文献１に記載の印字装置は、用紙の周囲を示す枠と、枠内の画像を形成する範囲とを１つの画面に表示する。印字範囲は、ドット単位に指定する。
【先行技術文献】
【特許文献】
【０００３】
【特許文献１】特開昭５９−１３５１７７号公報
【発明の概要】
【発明が解決しようとする課題】
【０００４】
しかしながら、特許文献１に記載の印字装置では、画像の全体を用紙に形成する範囲を調整できるが、画像の一部が用紙に形成されるサイズを確認することは困難である。その結果、画像の一部をユーザーが所望するサイズで用紙に形成することが困難な可能性がある。
【０００５】
本発明は、上記課題に鑑みてなされたものであり、画像の一部をユーザーが所望するサイズで用紙に形成可能な表示制御装置、表示制御方法、及び画像形成装置を提供することを目的としている。
【課題を解決するための手段】
【０００６】
本発明に係る表示制御装置は、ディスプレー、第１表示部、及び第２表示部を備える。前記第１表示部は、記録媒体に形成される画像のプレビュー画像を前記ディスプレーに表示する。前記第２表示部は、サイズ画像を前記ディスプレーに表示する。前記サイズ画像は、前記記録媒体上に形成される前記画像のサイズを示す。
【０００７】
本発明に係る表示制御方法は、生成ステップと表示ステップとを含む。前記生成ステップにおいて、記録媒体に形成される画像のプレビュー画像を生成する。前記表示ステップにおいて、前記プレビュー画像をディスプレーに表示すると共に、サイズ画像を前記ディスプレーに表示する。前記サイズ画像は、前記画像が前記記録媒体に形成される前記画像のサイズを示す。
【０００８】
本発明に係る画像形成装置は、ディスプレー、第１表示部、第２表示部、及び画像形成部を備える。前記第１表示部は、記録媒体に形成される画像のプレビュー画像を前記ディスプレーに表示する。前記第２表示部は、サイズ画像を前記ディスプレーに表示する。前記画像形成部は、前記記録媒体に前記画像を形成する。前記サイズ画像は、前記画像が前記記録媒体に形成される前記画像のサイズを示す。
【発明の効果】
【０００９】
本発明に係る表示制御装置、表示制御方法、及び画像形成装置によれば、画像の一部をユーザーが所望するサイズで用紙に形成できる。
【図面の簡単な説明】
【００１０】
【図１】本発明の実施形態に係る画像形成装置の構成の一例を示す図である。
【図２】本発明の実施形態に係る操作パネルの構成の一例を示す図である。
【図３】本発明の実施形態に係る画像形成装置の要部の構成の一例を示す図である。
【図４】タッチパネルに表示される操作画面の一例を示す図である。
【図５】本発明の実施形態に係る制御部の構成の一例を示す図である。
【図６】プレビュー画像表示部の一例を示す図である。
【図７】プレビュー画像表示部の図６とは別の一例を示す図である。
【図８】プレビュー画像表示部の図６及び図７とは別の一例を示す図である。
【図９】制御部の処理の一例を示すフローチャートである。
【図１０】制御部の処理の一例を示すフローチャートである。
【発明を実施するための形態】
【００１１】
以下、本発明の実施形態について、図面（図１〜図１０）を参照しながら説明する。なお、図中、同一又は相当部分については同一の参照符号を付して説明を繰り返さない。
【００１２】
まず、図１を参照して、本発明の実施形態に係る画像形成装置１００の構成について説明する。図１は、画像形成装置１００の構成を示す図である。図１に示すように、画像形成装置１００は複合機である。画像形成装置１００は、画像形成ユニット１、画像読取ユニット２、原稿搬送ユニット３、操作パネル４及び制御部５を備える。
【００１３】
画像形成ユニット１は、用紙Ｐに画像を形成する。用紙Ｐは、「記録媒体」の一例に相当する。画像読取ユニット２は、原稿Ｒに形成された画像を読み取る。原稿搬送ユニット３は、原稿Ｒを画像読取ユニット２に供給する。操作パネル４は、ユーザーからの操作を受け付けると共に、種々の情報を表示する。制御部５は、画像形成装置１００の動作を制御する。画像形成ユニット１は、「画像形成部」の一例に相当する。
【００１４】
画像形成ユニット１は、給送部１２、搬送部Ｌ、トナー供給部１３、画像形成実行部１４、定着部１６及び排出部１７を備える。画像形成実行部１４は、転写部１５を含む。
【００１５】
給送部１２は、用紙Ｐを搬送部Ｌへ供給する。搬送部Ｌは、用紙Ｐを転写部１５及び定着部１６を経由して排出部１７まで搬送する。トナー供給部１３は、画像形成実行部１４にトナーを供給する。画像形成実行部１４は、用紙Ｐに画像を形成する。
【００１６】
転写部１５は、中間転写ベルト１５４を備える。画像形成実行部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１７】
定着部１６は、用紙Ｐを加熱及び加圧し、用紙Ｐに形成された画像を用紙Ｐに定着する。排出部１７は、用紙Ｐを画像形成装置１００の外部へ排出する。
【００１８】
画像読取ユニット２は、画像読取部２１を備える。画像読取部２１は、ＬＥＤ（Ｌｉｇｈｔ  Ｅｍｉｔｔｉｎｇ  Ｄｉｏｄｅ）、コンタクトガラス、結像レンズ及びイメージセンサーを備え、これらの各部材が一体化されたＣＩＳ（Ｃｏｎｔａｃｔ  Ｉｍａｇｅ  Ｓｅｎｓｏｒ）ユニットである。
【００１９】
次に、図１及び図２を参照して、本発明の実施形態に係る操作パネル４の構成について説明する。図２は、操作パネル４の構成の一例を示す図である。図２に示すように、操作パネル４は、複数のキー４２と、タッチパネル４１とを備える。タッチパネル４１は、横長の矩形状に形成されている。
【００２０】
複数のキー４２は、タッチパネル４１の長辺方向に沿って配列される。キー４２は、第１キー４２１、第２キー４２２、第３キー４２３及び第４キー４２４を含む。第１キー４２１は、ユーザーが、対象画像ＢＪを用紙Ｐに形成する場合に押下される。第２キー４２２、第３キー４２３及び第４キー４２４には、それぞれ、機能が設定されている。対象画像ＢＪは、「画像」の一例に相当する。
【００２１】
次に、図１〜図３を参照して、画像形成装置１００の要部の構成について説明する。図３は、画像形成装置１００の要部の構成の一例を示す図である。図３に示すように、タッチパネル４１は、ディスプレー４１１及びタッチセンサー４１２を備える。ディスプレー４１１は、例えば、ＬＣＤ（Ｌｉｑｕｉｄ  Ｃｒｙｓｔａｌ  Ｄｉｓｐｌａｙ）を備え、種々の画像を表示する。タッチセンサー４１２は、ユーザーの操作を受け付ける。
【００２２】
また、制御部５は、プロセッサー５Ａ、及び記憶部５Ｂを備える。プロセッサー５Ａは、例えばＣＰＵ（Ｃｅｎｔｒａｌ  Ｐｒｏｃｅｓｓｉｎｇ  Ｕｎｉｔ）を備える。記憶部５Ｂは、半導体メモリーのようなメモリーを備え、ＨＤＤ（Ｈａｒｄ  Ｄｉｓｋ  Ｄｒｉｖｅ）を備えてもよい。記憶部５Ｂは、制御プログラムを記憶している。プロセッサー５Ａは、制御プログラムを実行することによって各種機能部として機能する。
【００２３】
ディスプレー４１１と制御部５とは、「表示制御装置」を構成する。
【００２４】
次に、図１〜図４を参照して、タッチパネル４１に表示される操作画面６００の構成について説明する。図４は、タッチパネル４１に表示される操作画面６００の一例を示す図である。図４に示すように、操作画面６００には、プレビュー画像表示部６１０、操作受付部６２０、テンキー表示部６３０及び印刷範囲指示部６４０が表示される。
【００２５】
プレビュー画像表示部６１０には、用紙画像６１１、第１目盛線画像６１２、第２目盛線画像６１３、対象画像６１４、枠画像６１５が表示される。
【００２６】
用紙画像６１１は、用紙Ｐを示す。用紙Ｐは矩形状である。具体的には、用紙画像６１１は、用紙Ｐに対応する長方形の画像を示す。
【００２７】
第１目盛線画像６１２及び第２目盛線画像６１３は、サイズ画像ＳＣの一例に相当する。サイズ画像ＳＣは、対象画像ＢＪのサイズを示す。対象画像ＢＪは、用紙Ｐ上に形成される画像を示す。第１目盛線画像６１２及び第２目盛線画像６１３は、目盛が形成された目盛線を示す。目盛は、用紙Ｐ上の長さを示す。第１目盛線画像６１２は、用紙Ｐの長辺方向に平行に配置される。用紙Ｐの長辺方向は、タッチパネル４１の長辺方向に対応する。第２目盛線画像６１３は、用紙Ｐの短辺方向に平行に配置される。用紙Ｐの短辺方向は、タッチパネル４１の短辺方向に対応する。以下の説明において、第１目盛線画像６１２を第１目盛線画像ＳＣ１と記載し、第２目盛線画像６１３を第２目盛線画像ＳＣ２と記載する場合がある。また、第１目盛線画像ＳＣ１と第２目盛線画像ＳＣ２とを目盛線画像ＳＣＡと総称する場合がある。
【００２８】
枠画像６１５は、長方形状の領域ＡＲの周囲を示す。具体的には、枠画像６１５は、４本の直線で構成される。４本の直線は、直線ＳＬ１と、直線ＳＬ２と、直線ＳＬ３と、直線ＳＬ４とを示す。以下の説明において、枠画像６１５を枠画像ＭＲと記載する場合がある。
【００２９】
直線ＳＬ１は、第１目盛線画像６１２の一方側端（左側端）を通過し用紙Ｐの短辺方向に平行な直線を示す。直線ＳＬ２は、第１目盛線画像６１２の他方側端（右側端）を通過し用紙Ｐの短辺方向に平行な直線を示す。直線ＳＬ３は、第２目盛線画像６１３の一方側端（上側端）を通過し用紙Ｐの長辺方向に平行な直線を示す。直線ＳＬ４は、第２目盛線画像６１３の他方側端（下側端）を通過し長辺方向に平行な直線を示す。
【００３０】
対象画像６１４は、用紙Ｐ上に形成される対象画像ＢＪを示す。対象画像６１４は、本発明の実施形態では、型紙の画像を示す。対象画像６１４は、例えば、涎掛けの型紙の画像を示す。対象画像６１４は、第１対象画像ＢＪ１と第２対象画像ＢＪ２とで構成される。第１対象画像ＢＪ１は、対象画像ＢＪのうち領域ＡＲに含まれる画像を示す。第２対象画像ＢＪ２は、対象画像ＢＪのうち領域ＡＲに含まれない画像を示す。第２対象画像ＢＪ２には、網掛けを付している。
【００３１】
テンキー表示部６３０は、第１目盛線長入力部６２１又は第２目盛線長入力部６２２に数値を入力する場合に用いられる。テンキー表示部６３０は、いわゆる「ソフトウェアキー」に相当する。テンキー表示部６３０は、０〜９までのキーに加えて、エンターキー６３１及び小数点キー６３２を備える。エンターキー６３１は、第１目盛線長入力部６２１又は第２目盛線長入力部６２２に入力された数値に決定する場合にタッチされる。小数点キー６３２は、小数点を入力する場合にタッチされる。
【００３２】
操作受付部６２０は、第１目盛線長入力部６２１、第２目盛線長入力部６２２、画像拡大部６２３及び画像縮小部６２４を含む。
【００３３】
第１目盛線長入力部６２１は、第１目盛線画像６１２を表示する長さを示す数値の入力を受け付ける。具体的には、ユーザーが、第１目盛線長入力部６２１にタッチすることによって、第１目盛線長入力部６２１に第１目盛線画像６１２を表示する長さを示す数値の入力が可能な状態になる。そして、ユーザーは、テンキー表示部６３０を介して数値を入力する。入力された数値は、第１目盛線長入力部６２１に表示される。そして、テンキー表示部６３０のエンターキー６３１がタッチされると、第１目盛線画像６１２を表示する長さを示す数値が、入力された数値に決定される。その結果、第１目盛線画像６１２を表示する長さが調整される。
【００３４】
第２目盛線長入力部６２２は、第２目盛線画像６１３を表示する長さを示す数値の入力を受け付ける。具体的には、ユーザーが、第２目盛線長入力部６２２にタッチすることによって、第２目盛線長入力部６２２に第２目盛線画像６１３を表示する長さを示す数値の入力が可能な状態になる。そして、ユーザーは、テンキー表示部６３０を介して数値を入力する。入力された数値は、第２目盛線長入力部６２２に表示される。そして、テンキー表示部６３０のエンターキー６３１がタッチされると、第２目盛線画像６１３を表示する長さを示す数値が、入力された数値に決定される。その結果、第２目盛線画像６１３を表示する長さが調整される。
【００３５】
画像拡大部６２３は、対象画像６１４を拡大する指示を受け付ける。具体的には、画像拡大部６２３が、ユーザーによってタッチされると、対象画像６１４が所定倍に拡大される。例えば、対象画像６１４が１００％で表示されている場合に、画像拡大部６２３が、ユーザーによってタッチされると対象画像６１４が１０１％で表示される。ユーザーが画像拡大部６２３にタッチする度に、対象画像６１４が１％ずつ拡大される。例えば、ユーザーが、画像拡大部６２３に５回タッチすると、対象画像６１４が１０５％に拡大される。
【００３６】
画像縮小部６２４は、対象画像６１４を縮小する指示を受け付ける。具体的には、画像縮小部６２４が、ユーザーによってタッチされると、対象画像６１４が所定倍に縮小される。例えば、対象画像６１４が１００％で表示されている場合に、画像縮小部６２４が、ユーザーによってタッチされると対象画像６１４が９９％で表示される。ユーザーが画像縮小部６２４にタッチする度に、対象画像６１４が１％ずつ縮小される。例えば、ユーザーが、画像縮小部６２４に５回タッチすると、対象画像６１４が９５％に縮小される。
【００３７】
印刷範囲指示部６４０は、第２対象画像ＢＪ２を用紙Ｐに形成するか否かの指示を受け付ける。具体的には、印刷範囲指示部６４０には、チェック表示部６４１と文字列画像６４２とが表示されている。チェック表示部６４１には、チェックマークが表示される。文字列画像６４２には、「枠の外側の画像を印刷しない」との文字列が表示されている。ユーザーが、印刷範囲指示部６４０をタッチすると、チェック表示部６４１にチェックマークを示す画像が表示される。そして、第２対象画像ＢＪ２が用紙Ｐに形成されない。ユーザーが、印刷範囲指示部６４０を再度タッチすると、チェック表示部６４１のチェックマークが非表示にされる。そして、第２対象画像ＢＪ２が用紙Ｐに形成される。
【００３８】
次に、図１〜図５を参照して、本発明の実施形態に係る制御部５の構成について説明する。図５は、制御部５の構成を示す図である。図５に示すように、制御部５は、読取部５０１、第１表示部５０２、第２表示部５０３、第３表示部５０４、受付部５０５、調整部５０６、判定部５０７及び指示部５０８を備える。具体的には、プロセッサー５Ａが、制御プログラムを実行することによって、読取部５０１、第１表示部５０２、第２表示部５０３、第３表示部５０４、受付部５０５、調整部５０６、判定部５０７及び指示部５０８として機能する。
【００３９】
読取部５０１は、画像読取ユニット２を介して原稿Ｒに形成された画像を読み込んで画像情報ＭＪを生成する。
【００４０】
第１表示部５０２は、用紙Ｐに形成される対象画像ＢＪのプレビュー画像ＰＶをディスプレー４１１に表示する。対象画像ＢＪは、画像情報ＭＪに対応する。
【００４１】
第２表示部５０３は、サイズ画像ＳＣをディスプレー４１１に表示する。サイズ画像ＳＣは、用紙Ｐ上に形成される対象画像ＢＪのサイズを示す。具体的には、サイズ画像ＳＣは、第１目盛線画像ＳＣ１及び第２目盛線画像ＳＣ２を含む。
【００４２】
第３表示部５０４は、枠画像ＭＲをディスプレー４１１に表示する。枠画像ＭＲは、領域ＡＲの周囲を示す。枠画像ＭＲは、直線ＳＬ１と、直線ＳＬ２と、直線ＳＬ３と、直線ＳＬ４とで構成される。
【００４３】
受付部５０５は、操作を受け付ける。受付部５０５は、例えば、第１操作ＯＰ１を受け付ける。第１操作ＯＰ１は、用紙Ｐ上に形成される対象画像ＢＪのサイズを調整する操作を示す。具体的には、受付部５０５は、タッチパネル４１に表示された画像拡大部６２３及び画像縮小部６２４を介して、第１操作ＯＰ１を受け付ける。
【００４４】
受付部５０５は、例えば、第５操作ＯＰ５を受け付ける。具体的には、受付部５０５は、印刷範囲指示部６４０を介して、第５操作ＯＰ５を受け付ける。第５操作ＯＰ５は、第２対象画像ＢＪ２を用紙Ｐに形成するか否かを決定する操作を示す。第２対象画像ＢＪ２は、対象画像ＢＪのうち領域ＡＲの外部に位置する画像を示す。
【００４５】
調整部５０６は、操作に応じて、対象画像ＢＪ及びサイズ画像ＳＣの少なくとも一方を調整する。調整部５０６は、例えば、第１操作ＯＰ１に応じて、用紙Ｐ上に形成される対象画像ＢＪのサイズを調整する。具体的には、受付部５０５が画像縮小部６２４に対する操作を受け付けた場合には、調整部５０６は、対象画像ＢＪのサイズを縮小する。また、受付部５０５が画像拡大部６２３に対する操作を受け付けた場合には、調整部５０６は、対象画像ＢＪのサイズを拡大する。
【００４６】
判定部５０７は、第５操作ＯＰ５に応じて、第２対象画像ＢＪ２を用紙Ｐに形成するか否かを判定する。
【００４７】
指示部５０８は、用紙Ｐに対象画像ＢＪを形成するように画像形成ユニット１に対して指示する。
【００４８】
以上、図１〜図５を参照して説明したように、本発明の実施形態では、第２表示部５０３が、サイズ画像ＳＣをディスプレー４１１に表示する。サイズ画像ＳＣは、用紙Ｐに形成される対象画像ＢＪのサイズを示す。よって、ユーザーが対象画像ＢＪの一部のサイズを確認できる。したがって、対象画像ＢＪの一部のサイズをユーザーが所望するサイズに一致するように拡縮することによって、対象画像ＢＪの一部をユーザーが所望するサイズで用紙Ｐに形成することが可能になる。
【００４９】
また、調整部５０６が、操作に応じて対象画像ＢＪ及びサイズ画像ＳＣの少なくとも一方を調整する。したがって、対象画像ＢＪ及びサイズ画像ＳＣの少なくとも一方を調整できる。
【００５０】
更に、調整部５０６が、第１操作ＯＰ１に応じて用紙Ｐ上に形成される画像のサイズを調整する。したがって、対象画像ＢＪの一部をユーザーが所望するサイズで用紙Ｐに形成できる。
【００５１】
また、第２表示部５０３が、目盛線画像ＳＣＡをディスプレー４１１に表示する。目盛線画像ＳＣＡは、サイズ画像ＳＣの一例に相当する。目盛線画像ＳＣＡは、用紙Ｐ上の長さを示す目盛が形成されている。よって、ユーザーが対象画像ＢＪの一部を目盛線画像ＳＣＡと比較することによって、対象画像ＢＪの一部のサイズを確認できる。
【００５２】
更に、第３表示部５０４が、領域ＡＲの周囲を示す枠画像ＭＲをディスプレー４１１に表示する。領域ＡＲは、枠画像ＭＲによって囲まれる。また、枠画像ＭＲは、直線ＳＬ１と、直線ＳＬ２と、直線ＳＬ３と、直線ＳＬ４とで構成される。したがって、用紙Ｐの長辺方向の対象画像ＢＪのサイズと、用紙Ｐの短辺方向の対象画像ＢＪのサイズとを容易に確認できる。
【００５３】
また、判定部５０７は、第５操作ＯＰ５に応じて、第２対象画像ＢＪ２を用紙Ｐに形成するか否かを判定する。第２対象画像ＢＪ２は、対象画像ＢＪのうち領域ＡＲの外部に位置する画像を示す。したがって、第２対象画像ＢＪ２を用紙Ｐに形成しない場合には、トナーの消費量を削減できる。
【００５４】
更に、指示部５０８が、用紙Ｐに対象画像ＢＪを形成するように画像形成ユニット１に対して指示する。よって、対象画像ＢＪの一部をユーザーが所望するサイズで用紙Ｐに形成できる。
【００５５】
本発明の実施形態では、対象画像ＢＪが画像情報ＭＪに対応し、画像情報ＭＪを読取部５０１が生成するが、本発明はこれに限定されない。画像形成装置１００が、画像情報ＭＪを有すればよい。例えば、画像形成装置１００が、ネットワークを介して、画像情報ＭＪをパーソナルコンピューターのような外部装置から取得する形態でもよい。
【００５６】
次に、図１〜図８を参照して、受付部５０５及び調整部５０６について更に説明する。図６は、プレビュー画像表示部６１０の一例を示す図である。図７は、図７は、プレビュー画像表示部６１０の図６とは別の一例を示す図である。図８は、プレビュー画像表示部６１０の図６及び図７とは別の一例を示す図である。
【００５７】
図６に示すように、プレビュー画像表示部６１０には、用紙画像６１１、第１目盛線画像６１２、第２目盛線画像６１３、対象画像６１４、枠画像６１５が表示される。
【００５８】
対象画像６１４は、第１目盛線画像６１２から離間した位置に表示されている。具体的には、第１目盛線画像６１２と、対象画像６１４の第１目盛線画像６１２に近接する側の端とは、距離Ｌ１だけ離間している。また、対象画像６１４は、第２目盛線画像６１３から離間した位置に表示されている。具体的には、第２目盛線画像６１３と、対象画像６１４の第２目盛線画像６１３に近接する側の端とは、距離Ｌ２だけ離間している。
【００５９】
図７に示すプレビュー画像表示部６１０は、図６に示すプレビュー画像表示部６１０と比較して、用紙画像６１１に対する対象画像６１４の位置が相違している。
【００６０】
図７に示すように、プレビュー画像表示部６１０には、用紙画像６１１、第１目盛線画像６１２、第２目盛線画像６１３、対象画像６１４、枠画像６１５が表示される。対象画像６１４は、対象画像ＢＪに相当する。対象画像６１４の上端は、第１目盛線画像６１２上に位置し、対象画像６１４の左端は、第２目盛線画像６１３上に位置している。
【００６１】
図６に示すプレビュー画像表示部６１０に対して、ユーザーが第２操作ＯＰ２を行う。その結果、図７に示すプレビュー画像表示部６１０が、タッチパネル４１に表示される。以下、第２操作ＯＰ２について詳細に説明する。
【００６２】
受付部５０５は、第２操作ＯＰ２を受け付ける。第２操作ＯＰ２は、用紙Ｐに形成する対象画像ＢＪの位置を調整する操作を示す。具体的には、受付部５０５は、タッチパネル４１を介して、第２操作ＯＰ２を受け付ける。第２操作ＯＰ２は、いわゆる、「スワイプ操作」を示す。
【００６３】
例えば、ユーザーは手Ｈの人差し指をタッチパネル４１に表示された対象画像ＢＪの点Ｐ１にタッチする。そして、人差し指をタッチパネル４１に接触させたまま、方向Ｄ１に点Ｐ２まで移動させる。具体的には、人差し指を第２目盛線画像６１３に近接する方向（左向き）に距離Ｌ２だけ移動し、人差し指を第１目盛線画像６１２に近接する方向（上向き）に距離Ｌ２だけ移動する。その後、ユーザーは、点Ｐ２で人差し指をタッチパネル４１から離間する。手Ｈの人差し指を点Ｐ１にタッチしてから点Ｐ２で人差し指をタッチパネル４１から離間するまでの操作が、第２操作ＯＰ２に相当する。
【００６４】
調整部５０６は、第２操作ＯＰ２に応じて、用紙Ｐに形成する対象画像ＢＪの位置を調整する。具体的には、調整部５０６は、対象画像ＢＪを左向きに距離Ｌ２だけ移動し、上向きに距離Ｌ２だけ移動する。
【００６５】
図８に示すプレビュー画像表示部６１０は、図７に示すプレビュー画像表示部６１０と比較して、第１目盛線画像６１２及び第２目盛線画像６１３を表示する長さが相違している。
【００６６】
プレビュー画像表示部６１０には、用紙画像６１１、第１目盛線画像６１２、第２目盛線画像６１３、対象画像６１４、枠画像６１５が表示される。対象画像６１４の右端の位置は、枠画像６１５の右端の位置と一致し、対象画像６１４の下端の位置は、枠画像６１５の下端の位置と一致している。
【００６７】
図７のプレビュー画像表示部６１０に対して、ユーザーが第３操作ＯＰ３を行う。その結果、図８に示すプレビュー画像表示部６１０が、タッチパネル４１に表示される。以下、第３操作ＯＰ３について詳細に説明する。
【００６８】
受付部５０５は、第３操作ＯＰ３を受け付ける。第３操作ＯＰ３は、目盛線画像ＳＣＡを表示する長さを調整する操作を示す。具体的には、受付部５０５は、第１目盛線長入力部６２１及び第２目盛線長入力部６２２を介して、第３操作ＯＰ３を受け付ける。目盛線画像ＳＣＡは、第１目盛線画像６１２と、第２目盛線画像６１３とを含む。
【００６９】
図７に示すように、対象画像６１４の第２目盛線画像６１３から離間する側の端（右端）は、第１目盛線画像６１２の右端より右側に位置している。具体的には、対象画像６１４の右端は、枠画像６１５の右端の位置から左側に距離Ｌ３だけ離間した位置にある。
【００７０】
よって、第３操作ＯＰ３として、ユーザーは、第１目盛線画像６１２を距離Ｌ３だけ短くする操作を行う。具体的には、第１目盛線長入力部６２１に現在の長さより距離Ｌ３だけ小さい長さを示す数値を入力し、テンキー表示部６３０のエンターキー６３１をタッチする。
【００７１】
また、対象画像６１４の第１目盛線画像６１２から離間する側の端（下端）は、第２目盛線画像６１３の下端より下側に位置している。具体的には、対象画像６１４の下端は、枠画像６１５の下端の位置から下側に距離Ｌ４だけ離間した位置にある。
【００７２】
よって、第３操作ＯＰ３として、ユーザーは、第２目盛線画像６１３を距離Ｌ４だけ長くする操作を行う。具体的には、第２目盛線長入力部６２２に現在の長さより距離Ｌ４だけ大きい長さを示す数値を入力し、テンキー表示部６３０のエンターキー６３１をタッチする。
【００７３】
調整部５０６は、第３操作ＯＰ３に応じて、第１目盛線画像６１２及び第２目盛線画像６１３を表示する長さを調整する。
【００７４】
以上、図１〜図８を参照して説明したように、本発明の実施形態では、調整部５０６が、第２操作ＯＰ２に応じて用紙Ｐに形成する対象画像ＢＪの位置を調整する。したがって、用紙Ｐにおけるユーザーが所望する位置に対象画像ＢＪを形成できる。
【００７５】
また、調整部５０６が、第３操作ＯＰ３に応じて目盛線画像ＳＣＡを表示する長さを調整する。よって、ユーザーが所望する長さの目盛線画像ＳＣＡを表示できる。したがって、ユーザーは対象画像ＢＪのサイズを正確に確認できる。
【００７６】
更に、目盛線画像ＳＣＡは、用紙Ｐの長辺方向に平行な第１目盛線画像ＳＣ１と、用紙Ｐの短辺方向に平行な第２目盛線画像ＳＣ２とを有する。したがって、用紙Ｐの長辺方向の対象画像ＢＪのサイズと、用紙Ｐの短辺方向の対象画像ＢＪのサイズとを確認できる。
【００７７】
本発明の実施形態では、用紙Ｐに形成する対象画像ＢＪの位置を調整するが、本発明はこれに限定されない。目盛線画像ＳＣＡの位置を調整する形態でもよい。具体的には、受付部５０５は、第４操作ＯＰ４を受け付ける。第４操作ＯＰ４は、対象画像ＢＪに対する目盛線画像ＳＣＡの表示位置を調整する操作を示す。具体的には、受付部５０５は、タッチパネル４１を介して、第４操作ＯＰ４を受け付ける。第４操作ＯＰ４は、いわゆる、「スワイプ操作」を示す。
【００７８】
例えば、ユーザーは手Ｈの人差し指をタッチパネル４１に表示された目盛線画像ＳＣＡにタッチする。そして、人差し指をタッチパネル４１に接触させたまま、方向Ｄ１と逆方向に移動させる。具体的には、右向きに距離Ｌ２だけ移動し、下向きに距離Ｌ２だけ移動する。その後、ユーザーは、人差し指をタッチパネル４１から離間する。手Ｈの人差し指をタッチパネル４１にタッチしてから人差し指をタッチパネル４１から離間するまでの操作が、第４操作ＯＰ４に相当する。
【００７９】
調整部５０６は、第４操作ＯＰ４に応じて、対象画像ＢＪに対する目盛線画像ＳＣＡの位置を調整する。具体的には、調整部５０６は、目盛線画像ＳＣＡを右向きに距離Ｌ２だけ移動し、下向きに距離Ｌ２だけ移動する。その結果、対象画像６１４の上端は、第１目盛線画像６１２上に位置し、対象画像６１４の左端は、第２目盛線画像６１３上に位置する。
【００８０】
この形態では、調整部５０６が、第４操作ＯＰ４に応じて、対象画像ＢＪに対する目盛線画像ＳＣＡの表示位置を調整する。よって、ユーザーが所望する位置に目盛線画像ＳＣＡを表示できる。したがって、対象画像ＢＪのサイズを正確に確認できる。
【００８１】
次に、図１〜図１０を参照して、制御部５の処理について説明する。図９及び図１０は、制御部５の処理の一例を示すフローチャートである。
図９に示すように、まず、ステップＳ１０１において、読取部５０１は、原稿Ｒに形成された画像を読み込んで画像情報ＭＪを生成する。
次に、ステップＳ１０３において、第１表示部５０２は、プレビュー画像ＰＶを生成する。
次に、ステップＳ１０５において、第１表示部５０２は、プレビュー画像ＰＶをディスプレー４１１に表示する。
次に、ステップＳ１０７において、第２表示部５０３は、目盛線画像ＳＣＡをディスプレー４１１に表示し、第３表示部５０４は、枠画像ＭＲをディスプレー４１１に表示する。
【００８２】
次に、ステップＳ１０９において、受付部５０５は、第１操作ＯＰ１を受け付けたか否かを判定する。
第１操作ＯＰ１を受け付けていないと受付部５０５が判定した場合（ステップＳ１０９でＮＯ）には、処理がステップＳ１１３に進む。第１操作ＯＰ１を受け付けたと受付部５０５が判定した場合（ステップＳ１０９でＹＥＳ）には、処理がステップＳ１１１に進む。
そして、ステップＳ１１１において、調整部５０６は、第１操作ＯＰ１に応じて、用紙Ｐ上に形成される対象画像ＢＪのサイズを調整する。
次に、ステップＳ１１３において、受付部５０５は、第２操作ＯＰ２を受け付けたか否かを判定する。
第２操作ＯＰ２を受け付けていないと受付部５０５が判定した場合（ステップＳ１１３でＮＯ）には、処理がステップＳ１１７に進む。第１操作ＯＰ１を受け付けたと受付部５０５が判定した場合（ステップＳ１１３でＹＥＳ）には、処理がステップＳ１１５に進む。
そして、ステップＳ１１５において、調整部５０６は、第２操作ＯＰ２に応じて、用紙Ｐに形成する対象画像ＢＪの位置を調整する。
【００８３】
次に、ステップＳ１１７において、受付部５０５は、第３操作ＯＰ３を受け付けたか否かを判定する。
第３操作ＯＰ３を受け付けていないと受付部５０５が判定した場合（ステップＳ１１７でＮＯ）には、処理がステップＳ１２１に進む。第３操作ＯＰ３を受け付けたと受付部５０５が判定した場合（ステップＳ１１７でＹＥＳ）には、処理がステップＳ１１９に進む。
そして、ステップＳ１１９において、調整部５０６は、第３操作ＯＰ３に応じて、目盛線画像ＳＣＡを表示する長さを調整する。
次に、ステップＳ１２１において、受付部５０５は、第４操作ＯＰ４を受け付けたか否かを判定する。
第４操作ＯＰ４を受け付けていないと受付部５０５が判定した場合（ステップＳ１２１でＮＯ）には、処理が図１０のステップＳ１２５に進む。第１操作ＯＰ１を受け付けたと受付部５０５が判定した場合（ステップＳ１２１でＹＥＳ）には、処理がステップＳ１２３に進む。
そして、ステップＳ１２３において、調整部５０６は、第４操作ＯＰ４に応じて、対象画像ＢＪに対する目盛線画像ＳＣＡの位置を調整する。
【００８４】
次に、図１０に示すように、ステップＳ１２５において、受付部５０５は、第５操作ＯＰ５を受け付けたか否かを判定する。
第５操作ＯＰ５を受け付けていないと受付部５０５が判定した場合（ステップＳ１２５でＮＯ）には、処理がステップＳ１２９に進む。第５操作ＯＰ５を受け付けたと受付部５０５が判定した場合（ステップＳ１２５でＹＥＳ）には、処理がステップＳ１２７に進む。
そして、ステップＳ１２７において、判定部５０７が、第５操作ＯＰ５に応じて、第２対象画像ＢＪ２を用紙Ｐに形成するか否かを判定する。
第２対象画像ＢＪ２を用紙Ｐに形成すると判定部５０７が判定した場合（ステップＳ１２７でＹＥＳ）には、処理がステップＳ１２９に進む。
そして、ステップＳ１２９において、判定部５０７が、第２対象画像ＢＪ２を用紙Ｐに形成すると決定し、処理がステップＳ１３３に進む。
第２対象画像ＢＪ２を用紙Ｐに形成しないと判定部５０７が判定した場合（ステップＳ１２７でＮＯ）には、処理がステップＳ１３１に進む。
そして、ステップＳ１３１において、判定部５０７が、第２対象画像ＢＪ２を用紙Ｐに形成しないと決定し、処理がステップＳ１３３に進む。
【００８５】
次に、ステップＳ１３３において、指示部５０８が、用紙Ｐに対象画像ＢＪを形成するか否かを判定する。
用紙Ｐに対象画像ＢＪを形成しないと指示部５０８が判定した場合（ステップＳ１３３でＮＯ）には、処理がステップＳ１３７に進む。用紙Ｐに対象画像ＢＪを形成すると指示部５０８が判定した場合（ステップＳ１３３でＹＥＳ）には、処理がステップＳ１３５に進む。
そして、ステップＳ１３５において、指示部５０８が、用紙Ｐに対象画像ＢＪを形成するように画像形成ユニット１に対して指示し、処理が終了する。
ステップＳ１３３でＮＯの場合には、ステップＳ１３７において、制御部５が、ユーザーによる操作に基づいて、ディスプレー４１１に表示する操作画面６００を初期状態にするか否かを判定する。
ディスプレー４１１に表示する操作画面６００を初期状態にすると制御部５が判定した場合（ステップＳ１３７でＹＥＳ）には、処理が図９のステップＳ１０５に戻る。ディスプレー４１１に表示する操作画面６００を初期状態にしないと制御部５が判定した場合（ステップＳ１３７でＮＯ）には、処理が図９のステップＳ１０９に戻る。
【００８６】
ステップＳ１０３が「生成ステップ」の一例に相当し、ステップＳ１０５とステップＳ１０７とが「表示ステップ」の一例に相当する。
【００８７】
以上、図１〜図１０を参照して説明したように、本発明の実施形態では、第２表示部５０３が、サイズ画像ＳＣをディスプレー４１１に表示する。サイズ画像ＳＣは、用紙Ｐに形成される対象画像ＢＪのサイズを示す。よって、ユーザーが対象画像ＢＪの一部のサイズを確認できる。したがって、対象画像ＢＪの一部の用紙Ｐに形成されるサイズをユーザーが所望するサイズに合わせるよう拡縮することによって、対象画像ＢＪの一部をユーザーが所望するサイズに調整することが可能になる。
【００８８】
本発明の実施形態では、サイズ画像ＳＣが目盛線画像ＳＣＡであるが、本発明はこれに限定されない。サイズ画像ＳＣが、用紙Ｐ上に形成される対象画像ＢＪのサイズを示せばよい。サイズ画像ＳＣが、例えば、始点と終点とを示す線分画像と、始点と終点との用紙Ｐ上の距離を示す距離画像とを含む形態でもよい。この形態では、始点を対象画像ＢＪの一方側端に配置し、終点を対象画像ＢＪの他方側端に配置することによって、対象画像ＢＪのサイズを確認できる。例えば、始点を対象画像ＢＪの上側端に配置し、終点を対象画像ＢＪの下側端に配置することによって、用紙Ｐの上下方向に沿った対象画像ＢＪのサイズを確認できる。また、例えば、始点を対象画像ＢＪの左側端に配置し、終点を対象画像ＢＪの右側端に配置することによって、用紙Ｐの左右方向に沿った対象画像ＢＪのサイズを確認できる。
【００８９】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９０】
（１）図１〜図１０を参照して説明したように、本発明の実施形態では、画像形成装置１００が表示制御装置に相当するが、本発明はこれに限定されない。表示制御装置は、ディスプレーと制御部とを備えていればよい。例えば、表示制御装置が、画像形成装置と通信可能に接続されたスマートフォンでもよい。また、例えば、表示制御装置が、画像形成装置と通信可能に接続されたパーソナルコンピューターである形態でもよい。
【００９１】
（２）図１〜図１０を参照して説明したように、第１表示部５０２が、１つのプレビュー画像ＰＶをディスプレー４１１に表示するが、本発明はこれに限定されない。第１表示部５０２が、プレビュー画像ＰＶをディスプレー４１１に表示すればよい。例えば、第１表示部５０２が、複数のプレビュー画像ＰＶを所定方向に並べて、ディスプレー４１１に表示する形態でもよい。
【産業上の利用可能性】
【００９２】
本発明は、プレビュー画像をディスプレーに表示する表示制御装置、表示制御方法、及び画像形成装置に関するものであり、産業上の利用可能性を有する。
【符号の説明】
【００９３】
１００    画像形成装置
１    画像形成ユニット（画像形成部）
２    画像読取ユニット
３    原稿搬送ユニット
４    操作表示部
４１    タッチパネル
４１１    ディスプレー（表示制御装置の一部）
４１２    タッチセンサー
５    制御部（表示制御装置の一部）
５Ａ    プロセッサー
５Ｂ    記憶部
５０１    読取部
５０２    第１表示部
５０３    第２表示部
５０４    第３表示部
５０５    受付部
５０６    調整部
５０７    判定部
５０８    指示部
ＡＲ    領域
ＢＪ    対象画像
ＢＪ１    第１対象画像
ＢＪ２    第２対象画像
ＭＪ    画像情報
ＭＲ    枠画像
ＯＰ１〜ＯＰ５    第１操作〜第５操作
Ｐ    用紙
ＰＶ    プレビュー画像
ＳＣ    サイズ画像
ＳＣＡ    目盛線画像
ＳＣ１    第１目盛線画像
ＳＣ２    第２目盛線画像
【図１】
2018164147.tif 000003
【図２】
2018164147.tif 000004
【図３】
2018164147.tif 000005
【図４】
2018164147.tif 000006
【図５】
2018164147.tif 000007
【図６】
2018164147.tif 000008
【図７】
2018164147.tif 000009
【図８】
2018164147.tif 000010
【図９】
2018164147.tif 000011
【図１０】
2018164147.tif 000012